(57)【要約】【課題】紛失防止用鎖を使用することなく、鍵の管理が著しく容易化されるようにした新規のキーホルダーの提供を図るものである。【解決手段】掌部当て片１の下端部に、使用者の手首に締着するためのベルト部２を設け、当該掌部当て片１の先端部には、使用者の中指と薬指を一緒に挿通させるための指掛け用環状ベルト３を設け、保持対象とする鍵Ａは、当該掌部当て片１の先端側隅角部位置にしてかつ使用者の中指と人差し指の間に位置させて取付けるようにし、これにより当該鍵Ａが、中指と人差し指の間から使用者の手の掌側と甲側とを自由に行き来できるように構成する。【選択図】　　　図２
2004024665.tif 000002
【特許請求の範囲】
【請求項１】
掌部当て片（１）の下単部に、使用者の手首に締着するためのベルト部（２）を設け、当該掌部当て片（１）の先端部には、使用者の中指と薬指を一緒に挿通させるための指掛け用環状ベルト（３）を設け、保持対象とする鍵（Ａ）は、当該掌部当て片（１）の先端側隅角部位置にしてかつ使用者の中指と人差し指の間に位置させて取付けるようにし、これにより当該鍵（Ａ）が、中指と人差し指の間から使用者の手の掌側と甲側とを自由に行き来できるように構成したことを特徴とするキーホルダー。
【請求項２】
掌部当て片（１）の上縁にしてかつ中指と人差し指の間に位置する隅角部分に突起片部（４）或いは、鍵を付けるためのループを設け、　当該突起片部（４）を設けた際にはその中央部に鍵連結用穴（４ａ）を開設してなる請求項１に記載のキーホルダー。
【請求項３】
鍵連結用穴（４ａ）を複数の鍵の取付けが出来る程度の大きさを具えたものとしてなる請求項２に記載のキーホルダー。
【請求項４】
掌部当て片（１）に対して、強靱性が高められた別体の指掛け用環状ベルト（３）を取付けるように構成した請求項１乃至請求項３の何れかに記載のキーホルダー。
【請求項５】
掌部当て片（１）に対して、使用者の手首に締着するためのベルト部（２）を一体に形成した請求項１乃至請求項４の何れかに記載のキーホルダー。
【請求項６】
店舗イメージとの協調、もしくは、職制別の仕分けの容易化のための着色を施して成る、請求項１乃至請求項５の何れかに記載のキーホルダー。
【発明の詳細な説明】
【０００１】
【発明の属する技術分野】
本発明は、パチンコ店に於ける台開閉用鍵を主たる利用対象とするキーホルダーに関する。
【０００２】
【従来の技術】
パチンコ店における台開閉用鍵は、パチンコ台に対する操作を行う度に使用するものであり、その使用頻度は極めて高いものである。　すなわち、営業時間中には玉詰まりの都度その解消作業のために台開きに用い、また、閉店後の清掃調節作業時等に際しては全ての台を開く関係上、鍵の使用回数は著しいものがある。
【０００３】
一方、同一機種のパチンコ台は一種類の鍵でその開閉が行われるため、鍵が盗まれたり紛失した場合、これの悪用から予想される被害は著しいものがあり、その管理には細心の注意を払う必要がある。
【０００４】
従来、パチンコ店における鍵の使用は、業務時間中は店員に任されている。　然し乍、ただ単に手に持っていたりポケットに入れていたりした場合、紛失したり盗まれたりする危険性が高いため、腰ベルト等に鎖で繋いだりズボンのベルトループ部分に簡易フックにより保持しているのが一般的である。
【０００５】
【発明が解決しようとする課題】
上記したように鎖で繋いで保管している場合、鍵の使用時に当該鎖の重さが鍵に加わるため、長時間または連続的作業時に生じる疲労度は馬鹿にならないものがあつた。　更に、当該鎖の存在は、鍵を使用している際に垂れ下がった状態にあるため、これが客に当たったり、他物に引っかかったりするような弊害を伴い、加えてズボンのループ部分の破損、鍵の擦れによるズボンの劣化を余儀なくされていた。
【０００６】
本発明はこのような従来の問題を解消した新規のキーホルダーの提供を図ったものである。
【０００７】
【課題を解決するための手段】
本発明は、掌部当て片１の下端部に、使用者の手首に締着するためのベルト部２を設け、当該掌部当て片１の先端部には、使用者の中指と薬指を一緒に挿通させるための指掛け用環状ベルト３を設け、保持対象とする鍵Ａは、当該掌部当て片１の先端側隅角部位置にしてかつ使用者の中指と人差し指の間に位置させて取付けるようにし、これにより当該鍵Ａが、中指と人差し指の間から使用者の手の掌側と甲側とを自由に行き来できるように構成したことを特徴とするキーホルダーに係る。
【０００８】
そして、掌部当て片１の上縁にしてかつ中指と人差し指の間に位置する隅角部分に突起片部４、もしくは当該鍵を連結させるためのループを設け、　当該突起片部４を設けた際には中央部に鍵連結用穴４ａを開設するように構成することに依り、鍵の移動が、手の前後面の何れの側にも極めてスムースに行われるようにして実施することが好ましい。
【０００９】
更に、鍵連結用穴４ａを複数の鍵の取付けが出来る程度の大きさを具えたものとするように実施することにより、多くの鍵の取付けが図られるようにすることができる。　また、鍵連結用突起部４に替え、掌部当て片１にループをつくることにより同様な作用をさせることができる。
【００１０】
また、本発明品はこれを着色することにより、店舗イメージとの共調、もしくは、職制別の仕分けが容易になる。　パチンコ店においては経験に応じて数段階の職制がおかれており、各職制により取り扱う鍵の数が違う。　そのため、鍵の保管、管理は煩雑を極め、本ホルダーに付けた状態で管理することにより取り違い、使用者確認が確実にできるようになる。
【００１１】
本発明は、上記のような構成に基づき、既述したような従来の問題を解決したものである。
【００１２】
【作用】
本発明は図２に示すようにして使用者の手に装着して利用に供する。　そして、このような状態で鍵Ａの携行を行うものである。　そして、鍵Ａの使用に際しては図３に示すように人差し指と親指とで鍵を摘んで行う。　また、何らかの他の作業を行うに際して、鍵Ａの存在が邪魔となる場合は、図４に示すよう中指と人差し指の間から手の甲側に鍵Ａを隠すように移動させれば、鍵Ａを取り外すことなく作業上の邪魔性が解消される。
【００１３】
【発明の実施の形態】
図１は本発明の一実施例を表したものである。　同図において、１は掌部当て片であつて、その基端部には使用者の手首を締着するためのベルト部２が設けられている。　また、当該ベルト部２は、基端に設けた折返し金具２ａに対して先端部分を挿入して折り返すと共に、使用者の手首に適応した長さとするように、雌雄のマジックテープ（登録商標）２ｂ，２ｃにより止め着するように構成してある。
【００１４】
ところで、上記したベルト部２であるが、図面に示す実施例にあっては当該ベルト部２を掌部当て片１と一体に形成するように構成してあるが、これは別体のベルトを掌部当て片１に対して縫着等なすように構成してもよい。　更に、ベルトの止め着方式であるが、図示の実施例に示すような折返し金具２ａとマジックテープ（登録商標）２ｂ，２ｃを用いた方式に限定されるものでは全くなく、使用者の手首に止め着出来るものであれば、その形態は如何なるものであつても良
い。
【００１５】
３は掌部当て片１の先端縁寄りに形成した指掛け用環状ベルトであって、使用者の中指と薬指を一緒にして挿通させるためのものである。　すなわち、掌部当て片１は当該リング体３を中指と薬指を一緒に挿通させた後、前記ベルト部２に対する締着を行うことにより、使用者の掌部分に対する装着が果たされるように構成してある。
【００１６】
上記した指掛け用環状ベルト３であるが、図示の実施例にあっては皮材を編んで形成したものを、掌部当て片１に対して逢着ａするように構成してある。　然し乍、当該リング体３は比較的強い力が掛かるため、強靱性を具えた材料で形成したものであれば如何なる形態のものでも可とする。　また、掌部当て片１と一体に形成するように構成しても良い。
【００１７】
４は掌部当て片１の上縁にして中指と人差し指の間に位置する隅角部分に設けた突起片部であつて、当該突起片部４は中指と人差し指の間から、使用者の手の掌側と甲側とを行き来出来る程度の長さを具えたものである。　４ａは当該突起片部の中央に形成した鍵連結用穴であつて、鍵Ａ側に取付けられている例えば連結用リングａを介して所要の鍵を着脱自在に取付けるためのものである。　なお、当該鍵連結用穴４ａは複数の鍵が取付け可能とする程度の大きさを具えたものとする。　なお、当該突起片部４に替えて、鍵を付けるためのループを設けるように構成してもよい。　すなわち、複数の鍵が取付けられる形態であれば、上記以外の構成であつても可とする。、
【００１８】
ところで、本発明に係るキーホルダーであるが、これは使用者の手にフイットする適度の柔軟性を具えた材料でその全体を形成することが好ましい。　これに依り、作業中であっても本発明品の着用が気にならず、また、作業性の障害となることが回避されるからである。
【００１９】
図２は使用者の手に装着した状態を表したものである。　本発明に係るキーホルダーにあつては、このような状態で鍵Ａの携行を行う。　そして、鍵Ａの使用に際しては図３に示すように人差し指と親指手で鍵を摘んで行う。　また、何らかの作業を行うに際して、鍵Ａの存在が邪魔となる場合は、図４に示すように中指と人差し指の間から手の甲側に鍵Ａを隠すように移動させれば、鍵Ａを取り外すことなく作業上の邪魔性が解消される。
【００２０】
なお、各図面においては一つの鍵を取付けるように描いてあるが、これは作図上の関係からであり、実際には複数個の鍵を取り付けて使用することが大半である。　そして、鍵の形態は図示のものに限定されるものでは全くなく、通常鍵として用いられているものなら如何なる形態の鍵であっても取付け可能とする。
【００２１】
【発明の効果】
本発明は請求項１に記載のような構成、すなわち、掌部当て片１の下端部に、使用者の手首に締着するためのベルト部２を設け、当該掌部当て片１の先端部には、使用者の中指と薬指を一緒に挿通させるための指掛け用環状ベルト３を設け、保持対象とする鍵Ａは、当該掌部当て片１の先端側隅角部位置にしてかつ使用者の中指と人差し指の間に位置させて取付けるようにし、これにより当該鍵Ａが、中指と人差し指の間から使用者の手の掌側と甲側とを自由に行き来できるように構成したから、鍵の管理が著しく容易かつ簡便化される。
【００２２】
すなわち、鍵は常に使用者手の中に存在するため、その使用時には、これを図３に示すように掴むことによって直ちに解錠操作を行うことが出来る。　そして、他の作業を行う際に鍵の存在が邪魔となった場合は、図４に示すように鍵を手の背後側（甲側）に位置させることに依り、当該鍵の存在は作業上の妨げとなることがない。
【００２３】
また、本発明に依れば、従来のように鍵の紛失を防ぐために鎖で作業員の腰等につないでおく必要がないため、当該鎖の存在に基づく既述したような従来の問題は全く解消されることとなる。
従って、本発明は鍵の開け閉めを頻繁に行うパチンコ店の係員が使用するキーホルダーとしては特に最適とするばかりでなく、例えばビル管理のガードマン等鍵の管理が重要視される職業に携わるものにあっては、その利用価値はとみに高いものである。
【００２４】
本発明は請求項２に記載のような構成、すなわち、掌部当て片１の上縁にしてかつ中指と人差し指の間に位置する隅角部分に突起片部４を設け、或いは、鍵を付けるためのループを設け、　当該突起片部（４）を設けた際にはその中央部に鍵連結用穴（４ａ）を開設するようにすることに依り、当該突起片部４の存在が鍵の遊び的動きを可能化するため、掌中での鍵の移動が極めてスムーズ化され、図２乃至図４に示すような鍵の変位的操作が著しく容易かつ簡便に達成される。
【図面の簡単な説明】
【図１】展開状態にある本発明品の斜視図である。
【図２】本発明品を使用者の手に取付けた状態を表した斜視図である。
【図３】鍵を把持した状態にある本発明品の取付状態を表した斜視図である。
【図４】鍵を手の裏側（甲側）に位置させた状態にある本発明品の取付状態を表した斜視図である。
【符号の説明】
Ａ　鍵
ａ　連結用リング
１　掌部当て片
２　ベルト部
２ａ　折返し金具
２ｂ　　マジックテープ（登録商標）
２ｃ　　マジックテープ（登録商標）
３　指掛け用環状ベルト
４　突起片部
４ａ　　鍵連結用穴
【図１】
2004024665.tif 000003
【図２】
2004024665.tif 000004
【図３】
2004024665.tif 000005
【図４】
2004024665.tif 000006